(57)【特許請求の範囲】
【請求項１】
筐体内に設置される端子台であって、
導電性を有し、支軸回りに回転可能とされるとともに、前記支軸の軸心に直交する方向である幅方向に延びる取付部と、
前記取付部と略同一幅又は小幅であって、該取付部を取付ける複数の基台とを備え、
該取付部は、幅方向一方側端に一次側電線の接続端子を着脱自在に取付可能な一方取付部と、幅方向他方側端に二次側電線の接続端子を着脱自在に取付可能な他方取付部とを一体的に備え、
前記一方取付部及び前記他方取付部のうち少なくともいずれかの取付部が、幅方向に沿う方向に対して傾斜又は直交され、
前記複数の基台は、前記支軸回りに回転可能とされるとともに、前記支軸が延びる方向に一列に配置され、隣り合う前記二つの基台の対向する面のうち、一方の基台の対向面には、他方の対向面に向けて前記支軸が突出して形成され、他方の基台の対向面には、前記支軸を挿脱可能且つ回転可能とする軸孔が内部に向けて形成されることを特徴とする端子台。
【請求項２】
前記支軸及び軸孔は、前記複数の基台のそれぞれの対向面の幅方向中央部に形成されることを特徴とする請求項１に記載の端子台。
【請求項３】
前記複数の基台のそれぞれは、前記一方取付部に前記一次側電線の接続端子を重ね合わせ、前記他方取付部に二次側電線の接続端子を重ね合わせる際に、該各接続端子を重ね合わせる方向に案内するガイドを備えていることを特徴とする請求項１又は２に記載の端子台。
【請求項４】
前記一方取付部に重ね合わされた前記接続端子、および前記他方取付部に重ね合わされた前記接続端子が、絶縁性のカバーで覆われていることを特徴とする請求項１乃至３のいずれか１項に記載の端子台。
【発明の詳細な説明】
【技術分野】
【０００１】
本発明は、配電盤や電気機器が内装された筐体内に配置される端子台に関する。
【背景技術】
【０００２】
この種の端子台は、例えば下記特許文献１に記載されている。特許文献１の端子台１００は、筐体（電子装置）に収容して用いられている。そして、図３に示すように、平板状の基台１０１と、基台１０１の表面に互いに絶縁状態で並べられた複数の導電体１０２とを備えている。これら導電体１０２は電線の接続端子の取付部１０３，１０４であるため、以下取付部と称する。各取付部１０３，１０４は平板状（帯状）に形成され、幅方向一方側部分を一方取付部１０３として、これに一次電線（入力側電線）が止めねじＢによって電気的に接続され、幅方向他方側部分を他方取付部１０４として、これに二次電線（出力側電線）が止めねじＢによって電気的に接続される。なお、図中の符号１０５は、複数の導電体１０２を絶縁性の部材で仕切る仕切り壁である。
【０００３】
特許文献１の端子台１００では、取付部１０３，１０４への作業性の向上を目的に、基台１０１は幅方向中心に配置した縦軸回りに回転可能に構成されており、基台１０１を縦軸回りに所定角度だけ回転させて、止めねじＢを縦軸回りの所望の位置に留めた状態とすることができる。
【０００４】
ところで近年では、電子部品の小型化に伴って端子台や、端子台が収容される筐体（例えば電力供給設備では配電盤等が挙げられる）自体も小型化されている。このような近年の現状においては、特許文献１に記載の端子台１００のように、基台１０１を縦軸回りに所定角度だけ回転させ、止めねじＢを縦軸回りの所望の位置に留めたとしても、取付部１０３，１０４に対する電線の接続作業や、接続状態の検査作業を行うための作業スペースを確保しにくい。
【０００５】
そうなると、例えば、電線を誤った取付部（導電体）に接続してしまう等の誤認が発生する原因となる。このような問題を解決するために作業スペースを確保しようとすると、配電盤等の筐体のサイズを変更することなく、さらに端子台を小型化することが考えられる。
【先行技術文献】
【特許文献】
【０００６】
【特許文献１】実開昭５７−１９８８８２号公報
【発明の概要】
【発明が解決しようとする課題】
【０００７】
しかしながら、近年小型化されている端子台をさらに小型化すれば、その分だけ取付部１０３，１０４に対する作業がいっそうしにくくなることに加えて、取付部では一方取付部１０３と他方取付部１０４との間の絶縁距離を確保しなければならないという理由から、小型化には限界がある。
【０００８】
そこで本発明は、取付部における絶縁距離を確保しつつ、筐体内において取付部に対する作業スペースを確保し得る端子台の提供を目的とする。
【課題を解決するための手段】
【０００９】
本発明に係る端子台は、筐体内に設置される端子台であって、導電性を有し、支軸回りに回転可能とされるとともに、前記支軸の軸心に直交する方向である幅方向に延びる取付部を備え、該取付部は、幅方向一方側端に一次側電線の接続端子を着脱自在に取付可能な一方取付部と、幅方向他方側端に二次側電線の接続端子を着脱自在に取付可能な他方取付部とを一体的に備え、前記一方取付部及び前記他方取付部のうち少なくともいずれかの取付部が、幅方向に沿う方向に対して傾斜又は直交されたことを特徴とする。
【００１０】
かかる構成によれば、取付部において、一方取付部及び他方取付部のうち少なくとも何れか片方の取付部が、幅方向に対して傾斜又は直交する方向に設けられていることにより、一方取付部及び他方取付部は同一平面になくても互いの絶縁距離を確保したうえで取付部をその幅方向において小型化でき、取付部は支軸回りに回転可能であるから、筐体内において取付部を回転させ、支軸回りにおいて、一方取付部又は他方取付部を作業者が作業し易い位置に留め、取付部が小型化された分だけ筐体内に確保できる作業スペースを用いて、一方取付部又は他方取付部に対する一次側電線又は二次側電線の作業を行う。
【００１１】
本発明に係る端子台の一態様として、前記取付部と略同一幅又は小幅であって、該取付部を取付ける基台を備え、該基台が前記支軸回りに回転可能とされていることが好ましい。
【００１２】
かかる構成によれば、取付部が基台に取付けられていても、基台は取付部と同一幅で、支軸回りの回転軌跡の径を大きくすることがないから、作業スペースを小さくしてしまうことがない。
【００１３】
本発明に係る端子台の他態様として、前記基台は、前記支軸が延びる方向に一列に複数配置され、隣り合う前記二つの基台の対向する面のうち、一方の基台の対向面には、他方の対向面に向けて前記支軸が突出して形成され、他方の基台の対向面には、前記支軸を挿脱可能且つ回転可能とする軸孔が内部に向けて形成されることが好ましい。
【００１４】
かかる構成によれば、複数の基台は、支軸の延びる方向に連結されるとともに、連結された状態においてそれぞれ個別に回転できる。このため、作業対象となっている基台のみを回転させることで、回転させた基台の取付部に対する作業を確実に行うことができる。
【００１５】
本発明に係る端子台の他態様として、前記支軸及び軸孔は、基台の対向面の幅方向中央部に形成されることが好ましい。
【００１６】
かかる構成によれば、基台の中心を通る支軸を回転軸として、基台が回転するため、基台の幅寸法を直径として支軸回りに回転することになり、最小の回転軌跡で回転でき、作業スペースを小さくしてしまうことがない。
【００１７】
本発明に係る端子台の他態様として、前記基台は、前記一方取付部に前記一次側電線の接続端子を重ね合わせ、前記他方取付部に二次側電線の接続端子を重ね合わせる際に、該各接続端子を重ね合わせる方向に案内するガイドを備えていることが好ましい。
【００１８】
かかる構成によれば、各接続端子をガイドに沿わせるようにして、一方取付部に一次側電線の接続端子を重ね合わせ、他方取付部に二次側電線の接続端子を重ね合わせられる。
【００１９】
本発明に係る端子台の他態様として、前記一方取付部に重ね合わされた前記接続端子、および前記他方取付部に重ね合わされた前記接続端子が、絶縁性のカバーで覆われていることが好ましい。
【００２０】
かかる構成によれば、接続端子に絶縁カバーを重ね合わせることで、接続端子を絶縁カバーで絶縁保護できるようになる。したがって、止めねじに対する接続端子の着脱作業を安全に行える。
【発明の効果】
【００２１】
以上のように、本発明によれば、取付部における絶縁距離を確保しつつ、筐体内において取付部に対する作業スペースを確保し得る、といった優れた効果を奏し得る。
【図面の簡単な説明】
【００２２】
【図１】図１は、本発明の一実施形態に係る端子台を示す図である。
【図２】図２は、同実施形態に係る端子台の分解斜視図であり、最上段の端子ブロック、及び最下段の端子ブロックのみを図示した分解斜視図である。
【図３】図３は、従来の端子台を示す図である。
【発明を実施するための形態】
【００２３】
本発明の一実施形態に係る端子台を、配電設備が備えた配電盤に設置される例として、図面を参照して説明する。本実施形態に係る端子台１は、図１及び図２に示す如く、上下方向に並べて連結された複数の端子ブロックＴと、端子ブロックＴが連結されてなる端子ブロック群の上側および下側にあって、縦軸である軸線Ａ回りに回転可能に支持する上下一対の支持体５，５とを備えている。
【００２４】
各端子ブロックＴは、軸線Ａ回りに回転可能とされた基台１０と、基台１０に支持されるとともに一次側電線Ｃ１および二次側電線Ｃ２が接続される複数の取付部１１とを備える。
【００２５】
取付部１１は金属製の導電体であり、板状（帯状）の導電体の長手方向途中部分において、長手方向一方側寄り部位を折曲げることで形成されている。取付部１１において、折曲げられた一方側の短片（幅方向一方側端）が一方取付部１１０とされ、他方側の長片（幅方向他方側端）が他方取付部１１１とされる。すなわち、一方取付部１１０及び他方取付部１１１はともに板状に一体的に形成されており、一方取付部１１０の表面に一次側電線Ｃ１の接続端子Ｙが重ね合わせ手段によって着脱自在に重ねられて取り付けられ、他方取付部１１１の表面に二次側電線Ｃ２の接続端子Ｙが重ね合わせ手段によって着脱自在に重ねられて取り付けられる。
【００２６】
重ね合わせ手段は、絶縁カバー７、座金Ｗ、および止めねじＢを備えている。一方取付部１１０及び他方取付部１１１のそれぞれには、止めねじＢが挿通される挿通孔１２が形成されている。すなわち、一次側電線Ｃ１の接続端子Ｙは、一方取付部１１０の表面に、絶縁カバー７、座金Ｗ、および絶縁カバー７、座金Ｗを挿通する止めねじＢを介して重ねられて、一方取付部１１０に電気的に接続される。二次側電線Ｃ２の接続端子Ｙは、他方取付部１１１の表面に、絶縁カバー７、座金Ｗ、および絶縁カバー７、座金Ｗを挿通する止めねじＢを介して重ねられて、他方取付部１１１に電気的に接続される。
【００２７】
また、両取付部１１０，１１１は、同一平面において互いの中心線ａ，ａが交差する関係にあって、同一直線上に位置することがないため、絶縁距離を十分にとれる位置関係にある。したがって、基台１０を小型化できる。すなわち、基台１０の回転軌跡を小さくでき、周囲にある他の端子台１によって回転を阻害されることがない。
【００２８】
基台１０は、前述した取付部１１を支持し、軸線Ａ上に配置された後述する支軸３回りに回転可能に構成されている。基台１０は、基台本体１０ａと補助基台部１０ｂとを備える。基台本体１０ａは、軸線Ａ方向（上下方向）に直交する一方向（前後方向）を長手方向とし、軸線Ａ方向に沿う方向を幅方向とし、軸線Ａ方向に直交する他方向を厚み方向とした直方体形状に形成されている。厚み方向で対向する面のうちの一方の面が、取付部１１が重ねられる載置面１４とされる。
【００２９】
載置面１４において、その幅方向一方側端に仕切り壁２０が立設されている。仕切り壁２０は、平板状に形成されており、基台本体１０ａに比べて長手方向の長さをわずかに長く形成されている。仕切り壁２０の板面に補助基台部１０ｂが一体的に設けられている。補助基台部１０ｂは、基台本体１０ａに対して長手方向寸法および幅方向寸法が短く、載置面１４からの高さが仕切り壁２０に対して低い直方体形状に形成されている。この補助基台部１０ｂは、載置面１４に隙間を介して対向配置されている。
【００３０】
載置面１４のうちの長手方向他方側寄りに、止めねじＢのねじ孔１３が形成されている。補助基台部１０ｂのうちの長手方向で対向する面のうち一方の面が、一方取付部１１０が当接する当接面１５とされ、当接面１５に、止めねじＢのねじ孔１３が形成されている。
【００３１】
取付部１１の他方取付部１１１が、その長手方向を基台本体１０ａの長手方向として、補助基台部１０ｂと載置面１４との間に挿入されている。
【００３２】
また、基台本体１０ａの幅寸法と取付部１１の他方取付部１１１の幅寸法とが同じになっている。これにより、端子ブロックＴを小型化できるとともに、回転軌跡を小さくできる。
【００３３】
また、軸線Ａの延びる方向（上下方向）に連結された複数の基台１０のうち、上下に隣り合う基台本体１０ａの対向面において、下側の基台本体１０ａの上面（対向面）の幅方向中央部に、上方に向けて（上側の基台本体１０ａの対向面に向けて）軸線Ａに沿って突設された支軸３と、他方（上側）の基台本体１０ａの下面（対向面）の幅方向中央部に内部に向けて軸線Ａに沿って形成された、支軸３が挿脱可能且つ回転可能とする軸孔４とを備える。
【００３４】
そして、複数の基台１０（本実施形態では５個）が、上側の基台本体１０ａの軸孔４に、連結される下側の基台本体１０ａの支軸３が挿入され、これと同じ連結が繰り返し行われることで、複数の基台１０が上下方向に一列に連結されるとともに、複数の基台１０が個別に支軸３の軸回りに回転可能に連結され、両取付部１１０，１１１のそれぞれが所望の位置（作業者と対面する位置）に位置変更可能に構成される。
【００３５】
そして、上側の支持体５０の下面には、最上段の基台１０の支軸３が挿入可能な凹状の軸受け部５２が設けられている。また、上側の支持体５０には、図示していないが、端子台１の番号が表示されている。作業者はこの番号を確認して、作業対象である端子ブロックＴの点検作業を行う。
【００３６】
下側の支持体５０の上面の幅方向中心には、最下段の基台本体１０ａの軸孔４に挿入される回転軸５３であって、基台１０を回転させるための回転軸５３が突設されている。
【００３７】
基台本体１０ａの左側面の上端部には、幅方向（前後方向）に沿って仕切り壁２０が突出して形成される。該仕切り壁２０は、平板状で、一方取付部１１０及び他方取付部１１１に対する接続端子Ｙの挿入方向及び重ね合わす方向を案内するガイドとなる。すなわち、仕切り壁２０は、一次側電線及Ｃ１及び二次側電線Ｃ２の接続される方向（挿入される方向）が決定される。
【００３８】
絶縁カバー７は、接続端子Ｙを覆うことのできる面積を有し、中央部に止めねじＢが挿通される通し孔７０が形成され、接続端子Ｙを絶縁するとともに、接続端子Ｙに面接触することで押さえ板の機能ももっている。また、絶縁カバー７は、本実施形態では例えば四角形状に形成され、接続端子Ｙが重ね合わされる方向と同一方向に重ね合わされる。
【００３９】
また、当接面１５，取付部１１の一方取付部１１０、及び一次側電線Ｃ１が接続される側の絶縁カバー７には、蛍光塗料が塗布されており、一次側電線Ｃ１が接続されることを表示している。
【００４０】
つぎに本実施形態に係る端子台の使用態様について説明する。なお、基台１０の一方取付部１１０は、作業者と対面するように正面に位置し、他方取付部１１１が背面側（奥側）に位置しているものとする。
【００４１】
作業者は、図示しない配電盤の扉を開けると、端子台１の一方取付部１１０が作業者と対面することになる。この状態で、端子台１のいずれの端子ブロックＴが点検対象となっているかを目視で確認し、点検対象となっている端子ブロックＴ（本実施形態では、最上段の端子ブロックＴ）の基台１０を９０度回転させて、背面側に位置した他方取付部１１１を正面に配置する。
【００４２】
この際、一方取付部１１０に接続された一次側電線Ｃ１、及び他方取付部１１１に接続された二次側電線Ｃ２は交差する位置関係にあるため、基台１０を支軸３の軸回りに回転させたとしても、図３の端子台１００に比して端子台１全体の回転軌跡が小さくなる。この理由を以下に説明する。但し、図３の端子台１００及び本実施形態の端子台は、同じ幅寸法の配電盤に取り付けられているものとする。
【００４３】
図３の端子台１００の場合、一方取付部１０３及び他方取付部１０４は、平板状の取付部１０２の両端部に設けられている。また、両取付部１０３，１０４を挟んで配置された一対の仕切り壁１０５によって、両取付部１０３，１０４に対する一次側電線Ｃ１及び二次側電線Ｃ２の接続方向が決定される。具体的に、一方取付部１０３及び他方取付部１０４にそれぞれ一次側電線Ｃ１及び二次側電線Ｃ２を接続した場合、一次側電線Ｃ１及び二次側電線Ｃ２は同一直線上（取付部１０２の幅方向に延びる中心線上）に位置することになり、一次側電線Ｃ１及び二次側電線Ｃ２は、取付部１０２の両端部から外方に向かって突出することになる。すなわち、基台１０１は、一次側電線Ｃ１及び二次側電線Ｃ２を直径にして回転することになり、その分回転軌跡が大きくなり、他の端子台１に当たって基台１０１の回転が規制される。
【００４４】
これに対して、本実施形態の端子台１の場合、一次側電線Ｃ１及び二次側電線Ｃ２は同一直線上に位置することがなく、交差する位置関係にある。このため、基台１０は、一次側電線Ｃ１及び二次側電線Ｃ２を直径にして回転することがなく、その分端子台１全体の回転軌跡が小さくなり、一対の取付部１１，１２にそれぞれ接続された一次側電線Ｃ１及び二次側電線Ｃ２が、他の端子台１に当たって基台１０の回転を規制されることがなく、一次側電線Ｃ１及び二次側電線Ｃ２のそれぞれに対する作業スペースを確保することができる。
【００４５】
他方取付部１１１が正面に配置された状態において、作業者は、他方取付部１１１の止めねじＢを緩めて、他方取付部１１１に接続された二次側電線Ｃ２を矢印の方向に引き出し、新たな二次側電線Ｃ２を緩めた止めねじＢに逆方向に挿入して交換したり、二次側電線Ｃ２の導通状態を検査したりするなど、所要の作業を行作業終了後、一方取付部１１０が正面（作業者と対面する位置）に向くように、端子ブロックＴの基台１０を逆方向に９０度回転させる。
【００４６】
したがって、作業者は、いずれの取付部１１０，１１１とも対面可能となり、取付部１１０，１１１と対面する位置で電線の交換や検査等の作業スペースを容易に確保できるようになる。したがって、ねじ回し工具による止めねじに対する緊緩作業が行いやすくなる。また、連結された複数の基台１０を個々に回転できるため、作業対象となっている回転させるべき基台１０のみを回転させることができ、作業対象となっていない基台１０は回転させることがない。したがって、端子台１に対する作業ミスを防止できる。
【００４７】
以上のように、本実施形態に係る端子台１によれば、取付部１１における絶縁距離を確保しつつ、筐体内において取付部に対する作業スペースを確保し得るようにすることができる。
【００４８】
なお、本発明に係る端子台は、前記実施形態に限定することなく種々変更することができる。
【００４９】
例えば、前記実施形態の場合、同一平面において互いの中心線ａ，ａが直交するように、両取付部１１０，１１１を配置したが、同一平面において互いの中心線が鈍角に交差するように、両取付部１１０，１１１を配置してもよい。
【００５０】
また、前記実施形態の場合、幅方向に対して直角に折り曲げた取付部１１の短片を一方取付部１１０とし、幅方向に沿う取付部の長片を他方取付部１１１としたが、取付部の両端部を幅方向に対して同一方向に直角に折り曲げ、折り曲げた一端部を一方取付部とし、折り曲げた他端部を他方取付部としてもよい。この場合、取付部の両端部が折り曲げられるので、前記実施形態よりもさらに取付部の幅寸法が小さくなる。すなわち、作業スペースをより確保し易くなる。但し、いずれの取付部を作業者と対面する位置に配置しようとする場合、図１の基台１０の回転角度（９０度）に比して基台の回転角度（１８０度）は大きくなる。
【００５１】
また、前記実施形態の場合、基台１０の回転中心を、基台１０の中心を通る直線上に設定するようにしたが、基台１０から外れた位置に設定し、両取付部１１０，１１１のそれぞれを作業者と対面する位置に移動させるようにしてもよい。
【００５２】
また、前記実施形態の場合、仕切り壁２０を設けるようにしたが、両取付部１１０，１１１に対する電線の接続方向の特定や、両取付部１１０，１１１に対する絶縁保護について必要性がない場合は、仕切り壁２０を設ける必要はない。
【００５３】
また、前記実施形態の場合、両取付部１１０，１１１に接続端子Ｙを電気的に接続する接続部材として、止めねじＢを使用したが、これに限定されるものではなく、接続端子Ｙを付勢部材の付勢力によって挟持するクリップであってもよい。
【符号の説明】
【００５４】
１，１００…端子台、１０，１０１…基台、１０ａ…基台本体、１０ｂ…補助基台部、１１，１０２…取付部、１１０，１０３…一方取付部、１１１，１０４…他方取付部、２０，１０５…仕切り壁、３…回転軸、７…絶縁カバー、Ａ…軸線、ａ…一方取付部及び他方取付部の中心線、Ｂ…止めねじ、Ｃ１…一次側電線、Ｃ２…二次側電線、Ｔ…端子ブロック、Ｙ…接続端子
【図１】
0006757511.tif 000002
【図２】
0006757511.tif 000003
【図３】
0006757511.tif 000004